(57)【要約】【課題】テープリールを駆動するときの消費エネルギを抑制する。【解決手段】磁気テープカートリッジ１は、磁気テープ３０が巻回されるテープリール３と、テープリール３を収容するケーシング２とを備えている。テープリール３は、玉６３，６３，…を有する軸受６を介してケーシング２に対して回転可能に支持されている。テープリール３の回転軸方向の位置は、駆動時と非駆動時とで同じである。【選択図】図１
2010102761.tif 000002
【特許請求の範囲】
【請求項１】
記録テープが巻回されるテープリールと、該テープリールを収容するケーシングとを備えたテープカートリッジであって、
前記テープリールは、転動体を介して前記ケーシングに対して回転可能に支持されており、
前記テープリールの回転軸方向の位置は、駆動時と非駆動時とで同じであることを特徴とするテープカートリッジ。
【請求項２】
請求項１に記載のテープカートリッジにおいて、
前記転動体を有する転がり軸受をさらに備え、
前記テープリールは、記録テープが巻回される筒状のハブと、該ハブの両端に設けられた鍔状のフランジとを有しており、
前記転がり軸受は、前記ハブ内に設けられ、前記テープリールのラジアル軸受として機能することを特徴とするテープカートリッジ。
【請求項３】
請求項２に記載のテープカートリッジにおいて、
前記転がり軸受は、前記テープリールの回転軸方向中心に設けられていることを特徴とするテープカートリッジ。
【請求項４】
請求項３に記載のテープカートリッジにおいて、
前記ケーシングは、その厚み方向に分割される上ケースと下ケースとを有し、
前記上ケースには、前記テープリールの前記ハブ内に挿入され、前記転がり軸受と当接するケース側当接部が形成されており、
前記テープリールの前記ハブ内には、前記転がり軸受と当接するリール側当接部が形成されており、
前記転がり軸受は、前記テープリールの回転軸方向において、前記上ケースの前記ケース側当接部と前記テープリールの前記リール側当接部とによって挟持されていることを特徴とするテープカートリッジ。
【請求項５】
請求項１に記載のテープカートリッジにおいて、
前記テープリールは、記録テープが巻回される筒状のハブと、該ハブの両端に設けられた鍔状のフランジとを有しており、
前記転動体は、前記ケーシングと前記テープリールの一方のフランジとの間に配設され、該テープリールのスラスト荷重を受け止めるように構成されていることを特徴とするテープカートリッジ。
【請求項６】
請求項５に記載のテープカートリッジにおいて、
前記転動体は、前記テープリールの前記一方のフランジにおける前記ハブが接合されている部分の、該ハブとは反対側の面に配設されていることを特徴とするテープカートリッジ。
【請求項７】
記録テープが巻回されるテープリールと、該テープリールを収容するケーシングとを備えたテープカートリッジであって、
前記テープリールは、記録テープが巻回される筒状のハブと、該ハブの両端に設けられた鍔状のフランジとを有していて、前記ケーシングと一方の該フランジとの間に配設され、該テープリールのスラスト荷重を受け止める滑り軸受を介して前記ケーシングに対して回転可能に支持されており、
前記テープリールの回転軸方向の位置は、駆動時と非駆動時とで同じであることを特徴とするテープカートリッジ。
【発明の詳細な説明】
【技術分野】
【０００１】
本発明は、記録テープが巻回されるテープリールと、該テープリールを収容するケーシングとを備えたテープカートリッジに関するものである。
【背景技術】
【０００２】
従来より、コンピュータ等のデータのバックアップのために磁気テープ等の記録テープが広く用いられている。このような記録テープは、テープカートリッジ内に収容されている。このテープカートリッジの一例として、特許文献１に開示されたものがある。
【０００３】
特許文献１に開示されたテープカートリッジは、記録テープが巻回されるテープリールと、該テープリールを収容するケーシングとを備えている。テープリールは、記録テープが巻回される筒状のハブと、該ハブの両端に鍔状に設けられたフランジとを有している。そして、テープリールは、一方のフランジをケーシングの底板と当接する状態でケーシング内に収容されている。ここで、テープリールの該フランジには、被駆動ギアが形成されており、ケーシングの底板には、該被駆動ギアを外方に露出させるためのギア開口が形成されている。つまり、テープリールは、そのフランジに形成された被駆動ギアを外方に露出させた状態でケーシング内に収容されている。
【０００４】
このように構成されたテープカートリッジは、駆動装置によって記録テープに対する情報の記録及び再生が行われる。詳しくは、テープカートリッジが駆動装置に装填されると、該テープカートリッジから記録テープが引き出され、引き出された記録テープは、記録再生ヘッドに摺接することで、情報の記録や再生が行われる。
【０００５】
ここで、駆動装置は、テープカートリッジのテープリールを回転駆動するための駆動部を備えている。この駆動部は、回転力を出力する駆動軸を有しており、駆動軸の先端には、テープリールの被駆動ギアと噛合する駆動ギアが設けられている。そして、テープカートリッジが駆動装置に装填されたときには、駆動部の駆動軸が、前記ギア開口からケーシング内に進入して、駆動軸先端の駆動ギアがテープリールの被駆動ギアと噛合すると共に、テープリールをケーシングの底板から所定高さ（駆動装置内における記録テープの走行高さ）まで浮上させる。この状態で駆動部を作動させると、テープリールが回転駆動される。
【特許文献１】特開２００８−１７６８８６号公報
【発明の開示】
【発明が解決しようとする課題】
【０００６】
ところで、従来の構成では、テープカートリッジのテープリールは、非駆動時においては、ケーシングの底板上に載置されている。そして、駆動時には、駆動装置のカートリッジ側駆動部によって、該テープリールをケーシングの底板から浮上させている。こうすることで、ケーシングの底板との間で摩擦を生じさせることなく、テープリールを回転させている。しかしながら、その一方で、駆動部には、テープリールの自重が作用することになる。このテープリールは、記録テープが巻回されており、該記録テープを含むテープリールの自重は相当の重さとなる。そのため、テープリールを駆動するときには、大きな電力が必要となる。
【０００７】
本発明は、かかる点に鑑みてなされたものであり、その目的とするところは、テープリールを駆動するときの消費エネルギを抑制することにある。
【課題を解決するための手段】
【０００８】
本発明は、テープリールの自重をテープカートリッジのケーシング等で支えると共に、そのときに該テープリールに作用する摩擦力を低減させることによって、テープリールを回転させる際の駆動トルクを低減させるようにしたものである。
【０００９】
第１の発明は、記録テープが巻回されるテープリールと、該テープリールを収容するケーシングとを備えたテープカートリッジが対象である。そして、前記テープリールは、転動体を介して前記ケーシングに対して回転可能に支持されており、前記テープリールの回転軸方向の位置は、駆動時と非駆動時とで同じであるものとする。
【００１０】
前記の構成の場合、前記テープリールは、その回転軸方向が非駆動時と同じまま、即ち、従来と異なり、非駆動時の状態から浮上させられることなく駆動される。そして、テープリールは、駆動時であっても、ケーシングに支持された状態のまま、即ち、その自重がケーシングに作用した状態のままであるため、テープリールを駆動する駆動部には、テープリールの自重がほとんど作用しない。それに加えて、このとき、テープリールは、ケーシング上に単に載置されているのではなく、転動体を介してケーシングに回転可能に支持されているため、テープリールに作用する摩擦が非常に小さくなっている。これらの結果、テープリールの自重をテープリールの駆動部にほとんど作用させないようにすることができると共に、テープリールに作用する摩擦を非常に小さくすることができるため、テープリールを回転駆動するのに必要な駆動トルクを大幅に低減することができる。
【００１１】
第２の発明は、第１の発明において、前記転動体を有する転がり軸受をさらに備え、前記テープリールは、記録テープが巻回される筒状のハブと、該ハブの両端に設けられた鍔状のフランジとを有しており、前記転がり軸受は、前記ハブ内に設けられ、前記テープリールのラジアル軸受として機能するものとする。
【００１２】
前記の構成の場合、前記転動体は転がり軸受の一部を構成する。そして、この転がり軸受をラジアル軸受として機能させることによって、テープリール回転時の軸ブレを抑制することができる。また、転がり軸受をテープリールのハブ内に設けることによって、転がり軸受をテープリールの回転中心近傍に設けることができるため、転がり軸受を小型化することができる。
【００１３】
第３の発明は、第２の発明において、前記転がり軸受は、前記テープリールの回転軸方向中心に設けられているものとする。
【００１４】
前記の構成の場合、前記転がり軸受を前記テープリールの回転軸方向中心に設けることによって、転がり軸受をテープリールの回転軸方向の端部に設ける構成と比較して、テープリールが回転軸に対して傾いて設置されたとしても、テープリールの回転軸からのずれ量を全体的に小さくすることができる。すなわち、テープリールが回転軸に対して傾いて設置されると、回転軸からのずれ量は、テープリールのうち、転がり軸受からの回転軸方向の距離が離れている部分ほど大きくなる。つまり、転がり軸受をテープリールの回転軸方向の端部に設ける構成の場合、テープリールが回転軸に対して傾いて設置されると、テープリールの、回転軸方向における転がり軸受と反対側の端部のずれ量は非常に大きくなる。それに対して、転がり軸受をテープリールの回転軸方向中心に設けることによって、転がり軸受からテープリールの回転軸方向端部までの距離を短くすることができるため、テープリールの回転軸方向端部の回転軸からのずれ量を小さくすることができる。その結果、テープリールの回転軸からのずれ量を全体として小さくすることができる。
【００１５】
また、前記転がり軸受を前記テープリールの回転軸方向中心に設けることによって、テープリールに作用する遠心力を回転軸方向でバランスさせることができる。すなわち、テープリールに作用する遠心力は、回転軸方向に見たときに、転がり軸受から離れる程大きくなる。つまり、転がり軸受をテープリールの回転軸方向の端部に設ける構成の場合、テープリールの、回転軸方向における転がり軸受が設けられた部分の遠心力が最も小さくなり、回転軸方向における転がり軸受と反対側の端部の遠心力が最も大きくなる。こうして、テープリールの回転軸方向一端部と他端部とで遠心力の差が大きくなると、テープリールに変形が生じてしまう。それに対して、転がり軸受をテープリールの回転軸方向中心に設けることによって、テープリールの回転軸方向一端部及び他端部の、転がり軸受からの距離は等しいため、テープリールの回転軸方向一端部と他端部とで遠心力の差がほとんどなくなる。その結果、テープリールの遠心力による変形を抑制することができる。
【００１６】
第４の発明は、第３の発明において、前記ケーシングは、その厚み方向に分割される上ケースと下ケースとを有し、前記上ケースには、前記テープリールの前記ハブ内に挿入され、前記転がり軸受と当接するケース側当接部が形成されており、前記テープリールの前記ハブ内には、前記転がり軸受と当接するリール側当接部が形成されており、前記転がり軸受は、前記テープリールの回転軸方向において、前記上ケースの前記ケース側当接部と前記テープリールの前記リール側当接部とによって挟持されているものとする。
【００１７】
前記の構成の場合、転がり軸受を前記ケース側当接部と前記リール側当接部とでテープリールの回転軸方向に挟持することによって、転がり軸受を設置する際に、該転がり軸受の、テープリールの回転軸方向への位置決めを行うことができる。また、転がり軸受は、ケース側当接部とリール側当接部とで挟持された状態で設置されているため、転がり軸受が経時的に回転軸方向にずれることを防止することができる。
【００１８】
第５の発明は、第１の発明において、前記テープリールは、記録テープが巻回される筒状のハブと、該ハブの両端に設けられた鍔状のフランジとを有しており、前記転動体は、前記ケーシングと前記テープリールの一方のフランジとの間に配設され、該テープリールのスラスト荷重を受け止めるように構成されているものとする。
【００１９】
前記の構成の場合、テープリールをケーシング上に載置している従来の構成に対して、テープリールとケーシングとの間に転動体を介設させればよいため、従来の構成から小さな改良で、テープリールの駆動トルクを大幅に低減した構成を実現することができる。
【００２０】
第６の発明は、第５の発明において、前記転動体は、前記テープリールの前記一方のフランジにおける前記ハブが接合されている部分の、該ハブとは反対側の面に配設されているものとする。
【００２１】
前記の構成の場合、前記転動体を、前記テープリールの前記一方のフランジにおける、前記ハブが接合されている部分の反対側の面に配設することによって、フランジのうち、比較的高剛性の部分を支持することができる。すなわち、フランジの剛性は、ハブが接合された部分が最も高く、ハブから離れるほど低下する。そのため、仮に、転動体をフランジの外周縁部に配設すると、フランジがテープリール自身の自重によって撓んでしまい、撓み変形が大きい場合には、引き出されたり、巻き取られたりする記録テープにフランジが干渉する虞がある。また、フランジが撓むと、テープリールの回転を安定させることができない。それに対して、前記転動体をテープリールの前記一方のフランジにおける、前記ハブが接合されている部分の反対側の面に配設することによって、フランジの剛性が比較的高い部分でテープリールを支持することができるため、テープリールの回転を安定させることができると共に、フランジの変形を防止してフランジと記録テープとの干渉を防止することができる。
【００２２】
第７の発明は、記録テープが巻回されるテープリールと、該テープリールを収容するケーシングとを備えたテープカートリッジが対象である。そして、前記テープリールは、記録テープが巻回される筒状のハブと、該ハブの両端に設けられた鍔状のフランジとを有していて、前記ケーシングと一方の該フランジとの間に配設され、該テープリールのスラスト荷重を受け止める滑り軸受を介して前記ケーシングに対して回転可能に支持されており、前記テープリールの回転軸方向の位置は、駆動時と非駆動時とで同じであるものとする。
【００２３】
前記の構成の場合、前記テープリールは、その回転軸方向が非駆動時と同じまま、即ち、従来と異なり、非駆動時の状態から浮上させられることなく駆動される。そして、テープリールは、駆動時であっても、ケーシングに支持された状態のまま、即ち、その自重がケーシングに作用した状態のままであるため、テープリールを駆動する駆動部には、テープリールの自重がほとんど作用しない。それに加えて、このとき、テープリールは、ケーシング上に単に載置されているのではなく、滑り軸受を介してケーシングに回転可能に支持されているため、テープリールに作用する摩擦が非常に小さくなっている。これらの結果、テープリールの自重をテープリールの駆動部にほとんど作用させないようにすることができると共に、テープリールに作用する摩擦を小さくすることができるため、テープリールを回転駆動するのに必要な駆動トルクを大幅に低減することができる。
【発明の効果】
【００２４】
本発明によれば、テープリールの回転軸方向の位置を駆動時と非駆動時とで同じとし、該テープリールを転動体を介して前記ケーシングに対して回転可能に支持することによって、テープリールの自重をテープリールの駆動部にほとんど作用させないようにすることができると共に、テープリールに作用する摩擦を非常に小さくすることができるため、テープリールの駆動トルクを大幅に低減することができ、その結果、テープリールを駆動するときの消費エネルギを抑制することができる。
【００２５】
第２の発明によれば、前記転動体を有する転がり軸受をテープリールのハブ内に設けてテープリールのラジアル軸受として機能させることによって、テープリール回転時の軸ブレを抑制することができると共に、転がり軸受を小型化することができる。
【００２６】
第３の発明によれば、転がり軸受をテープリールの回転軸方向中心に設けることによって、テープリールに作用する遠心力を回転軸方向でバランスさせて、テープリールの遠心力による変形を抑制することができると共に、テープリールが回転軸に対して傾いて設置されたとしても、テープリールの回転軸からのずれ量を全体として小さくすることができる。
【００２７】
第４の発明によれば、転がり軸受を、テープリールの回転軸方向において、上ケースのケース側当接部とテープリールのリール側当接部とによって挟持することによって、転がり軸受を設置する際に、該転がり軸受の、テープリールの回転軸方向への位置決めを行うことができると共に、転がり軸受が経時的に回転軸方向にずれることを防止することができる。
【００２８】
第５の発明によれば、転動体をケーシングとテープリールの一方のフランジとの間に配設して、該テープリールのスラスト荷重を受け止めるように構成することによって、従来の構成から小さな改良で、テープリールの駆動トルクを大幅に低減した構成を実現することができる。
【００２９】
第６の発明によれば、転動体をテープリールの一方のフランジにおけるハブが接合されている部分の該ハブとは反対側の面に配設することによって、フランジの剛性が比較的高い部分でテープリールを支持することができるため、テープリールの回転を安定させることができると共に、フランジの変形を防止してフランジと記録テープとの干渉を防止することができる。
【００３０】
第７の発明によれば、テープリールの回転軸方向の位置を駆動時と非駆動時とで同じとし、該テープリールを滑り軸受を介して前記ケーシングに対して回転可能に支持することによって、テープリールの自重をテープリールの駆動部にほとんど作用させないようにすることができると共に、テープリールに作用する摩擦を小さくすることができるため、テープリールの駆動トルクを大幅に低減することができ、その結果、テープリールを駆動するときの消費エネルギを抑制することができる。
【発明を実施するための最良の形態】
【００３１】
以下、本発明の実施形態を図面に基づいて詳細に説明する。
【００３２】
《発明の実施形態１》
図１は、本発明の実施形態１に係る磁気テープカートリッジ１の分解斜視図であり、図２は、テープドライブで回転駆動されるとき以外の非駆動時の磁気テープカートリッジ１の断面図であり、図３は、テープドライブで回転駆動される駆動時の磁気テープカートリッジ１の断面図である。
【００３３】
本発明の実施形態１に係る磁気テープカートリッジ１は、例えば、電子計算機に記録された記録データをバックアップするためのストレージデバイスとして使用されるＬＴＯ（Linear Tape Open）規格に準拠した１リール（単一リール）型のカートリッジ式情報記録媒体である。磁気テープカートリッジ１は、ケーシング２、テープリール３、磁気テープ３０（図１では省略）、軸受６、ロック解除具４、リール押え５、ばね５５、カートリッジメモリ２５、及びライトプロテクトプラグ２６を備えている。この磁気テープカートリッジ１がテープカートリッジを、磁気テープ３０が記録テープを構成する。
【００３４】
ケーシング２は、扁平な直方体に形成されていて、合成樹脂製の下ケース２１と上ケース２２との分割構造になっている。これらの下ケース２１及び上ケース２２は、それぞれ、平面視正方形状の浅皿状に形成されている。上ケース２２の天板内面には、その略中央において、断面十文字状のガイド突起２４（図１では省略）が下方に突出するように形成されている。下ケース２１と上ケース２２とは、ネジで締結されている。ケーシング２の内部には、詳しくは後述するが、テープリール３が回転可能に収容されている。下ケース２１の底板には、その略中央において、テープリール３の後述する被駆動ギア３１ｃを外部に露出させるためのギア開口２１ａが形成されている。
【００３５】
また、ケーシング２には、その四隅のうちの一箇所に、テープリール３に巻回された磁気テープ３０を外部に引き出すためのテープ引出口２ａが形成されている。このテープ引出口２ａは、薄板状の蓋２３によって開閉可能に塞がれている。蓋２３は、ばね２３ａを介して、テープ引出口２ａを閉じる方向へ付勢されている。
【００３６】
さらに、ケーシング２の四隅のうちの別の箇所には、円弧状のリブによって区画されたメモリ収容部２ｂが形成されている。このメモリ収容部２ｂには、カートリッジメモリ２５が収容される。カートリッジメモリ２５は、磁気テープカートリッジ１の製造情報や使用履歴情報、磁気テープ３０のパーテーション情報などを記憶するようになっている。
【００３７】
さらにまた、ケーシング２の四隅のうちのさらに別の箇所には、平板状のリブによって区画されたプラグ収容部２ｃが形成されている。このプラグ収容部２ｃには、ライトプロテクトプラグ２６が収容される。ライトプロテクトプラグ２６は、磁気テープカートリッジ１に記録されているデータの誤消去を防止するためのものである。ライトプロテクトプラグ２６は、データ消去許容位置とデータ消去禁止位置との間でスライド移動可能にプラグ収容部２ｃに収容されている。
【００３８】
軸受６は、上側の上輪６１と、下側の下輪６２と、該上輪６１と下輪６２とに挟持された転動体としての玉６３，６３，…とを有する転がり軸受である。軸受６の内径は、下ケース２１のギア開口２１ａの内径よりも大きく設定されている。このように構成された軸受６は、ギア開口２１ａの外周を囲むようにして、下ケース２１に配設され、下輪６２が該下ケース２１に取り付けられている。詳しくは、下ケース２１には、ギア開口２１ａを囲むようにして環状リブ２１ｂが設けられており、下輪６２が環状リブ２１ｂの内周側に内嵌めされた状態で取り付けられる。
【００３９】
テープリール３は、円筒状のハブ３１と、該ハブ３１の上端に鍔状に設けられた上フランジ３２と、該ハブ３１の下端に鍔状に設けられた下フランジ３３と、該下フランジ３３に取り付けられた金属製の吸着板３５とを有している。これらハブ３１、上フランジ３２及び下フランジ３３は、合成樹脂で形成されている。さらに詳しくは、ハブ３１と下フランジ３３とは一体成形されている。そして、下フランジ３３と一体成形されたハブ３１の上端に、上フランジ３２が超音波溶着されている。尚、本実施形態においては、吸着板３５を省略してもよい。
【００４０】
ハブ３１は、上端側（即ち、上フランジ側）が開口する一方、下端側（即ち、下フランジ側）が閉塞する有底円筒状に形成されている。このハブ３１の外周面に、磁気テープ３０が巻回されている。
【００４１】
ハブ３１の底壁上面（内面）には、３つの円弧状のリブ３１ｂ（図１では、１つだけ図示）が、互いに間隔を空けて同一円周上に並んだ状態で突設されている。これらリブ３１ｂの上面には、被ロックギア３１ａが形成されている。ハブ３１の底壁には、隣接するリブ３１ｂの間の部分、即ち、リブ３１ｂが設けられていない部分の、径方向外側には、ロック解除具４の後述する爪部４３が嵌合する開口３１ｄが貫通形成されている。
【００４２】
また、ハブ３１の底壁下面（外面）の中央には、吸着板３５が取り付けられている。さらに、ハブ３１の底壁下面の外周縁には、被駆動ギア３１ｃが環状に形成されている。尚、前記開口３１ｄは、底壁のうち被駆動ギア３１ｃが形成されている部分に開口している。つまり、被駆動ギア３１ｃの歯に混ざって、ロック解除具４の爪部４３が開口３１ｄからハブ３１の底壁下面に突出することになる。
【００４３】
このテープリール３は、軸受６を介して、下ケース２１に対して回転可能に支持されている。詳しくは、テープリール３の下フランジ３３における、ハブ３１が接合された部分の、ハブ３１が接合された面とは反対側の面に、軸受６の上輪６１が取り付けられている。つまり、上輪６１は下ケース２１に取り付けられた下輪６２に対して相対的に回転可能であるため、該上輪６１に取り付けられたテープリール３は、下ケース２１、即ち、ケーシング２に対して回転可能に支持されることになる。このとき、テープリール３の被駆動ギア３１ｃが軸受６の内周側に位置している。
【００４４】
また、このように配設されたテープリール３においては、被駆動ギア３１ｃ及び吸着板３５が下ケース２１のギア開口２１ａからケーシング２の外部に露出している。詳しくは後述するが、磁気テープカートリッジ１をテープドライブに装填したときには、吸着板３５がテープドライブのモータの駆動軸に磁気吸着され、被駆動ギア３１ｃに該駆動軸の駆動ギアが噛合するようになっている。
【００４５】
リール押え５は、上向きに開口する扁平な有底筒状をしており、その外径は、テープリール３のハブ３１の内径よりも小さく設定されている。このリール押え５は、該ハブ３１内に配設される。また、リール押え５の底壁上面（内面）の中央には、４個の断面Ｌ字状のリブ５１，５１，…が突設されていて、これら４つのリブ５１，５１，…により十文字状のスライド溝５２が形成されている。このスライド溝５２は、上ケース２２のガイド突起２４と同様の形状をしていて、該ガイド突起２４に対して上下方向にスライド移動可能でかつ相対回転不能に係合している。また、リール押え５の底壁下面（外面）には、ロックギア５３が形成されている。このロックギア５３は、テープリール３のハブ３１の被ロックギア３１ａに噛合するように形成されている。
【００４６】
ばね５５は、コイルばねであって、その内径は、上ケース２２のガイド突起２４及びリール押え５のリブ５１，５１，…を外周から囲む程度の値に設定されている。すなわち、ばね５５は、上ケース２２とリール押え５との間において、ガイド突起２４とリブ５１，５１，…とを外周から囲むように配置されている。このばね５５は、下ケース２１と上ケース２２とが接合されることによって収縮変形して、リール押え５を下側（テープリール３側）に付勢するようになっている。
【００４７】
こうして下側に付勢されるリール押え５は、図２に示すように、そのロックギア５３をテープリール３の被ロックギア３１ａに噛合させた状態で、該テープリール３を下側に押圧する。このとき、リール押え５は、リブ５１，５１，…が上ケース２２のガイド突起２４に係合して、上ケース２２に対して回転不能な状態となっているため、被ロックギア３１ａがリール押え５のロックギア５３に噛合しているテープリール３も回転不能な状態となっている。磁気テープカートリッジ１は、非駆動時には、この状態となっている。
【００４８】
ロック解除具４は、本体４１と該本体４１から放射状に延びた３つの腕部４２，４２，４２とを有している。各腕部４２の先端には、屈曲して下方に延びる爪部４３が形成されている。リール押え５のロックギア５３がハブ３１の被ロックギア３１ａに噛合している状態においては、該リール押え５とハブ３１の底壁との間には隙間が形成されており、ロック解除具４は、このハブ３１の底壁とリール押え５との隙間に配設されている。このとき、ロック解除具４の腕部４２，４２，４２は、ハブ３１の底壁上面のリブ３１ｂとリブ３１ｂとの間を延びて、各腕部４２の先端の爪部４３が開口３１ｄに嵌っている。ロック解除具４は、磁気テープカートリッジ１の非駆動時には、この状態となっていて、リール押え５のロックギア５３とハブ３１の被ロックギア３１ａとの噛合状態に影響を与えることはない。一方、詳しくは後述するが、磁気テープカートリッジ１がテープドライブに装填されたとき、即ち、駆動時には、図３に示すように、ロック解除具４は上方に押し上げられるようになっている。上方に押し上げられたロック解除具４は、さらに、リール押え５をばね５５の付勢力に抗して押し上げるようになっている。リール押え５が押し上げられると、該リール押え５のロックギア５３とハブ３１の被ロックギア３１ａとの噛合が解除され、テープリール３の回転が許容されるようになっている。
【００４９】
このように構成された磁気テープカートリッジ１が、テープドライブ（図示省略）に装填されたときの動作について説明する。
【００５０】
まず、磁気テープカートリッジ１がテープドライブ内に挿入されると、該磁気テープカートリッジ１はテープドライブ内の所定の装填位置に装填される。
【００５１】
テープドライブには、テープリール３を回転駆動する駆動部としてのモータが設けられており、該モータの駆動軸Ｓの先端にはテープリール３の被駆動ギア３１ｃに噛合する駆動ギアが形成されている。そして、磁気テープカートリッジ１が装填位置に装填させることで、モータの駆動軸Ｓ先端の駆動ギアが下ケース２１のギア開口２１ａからケーシング２内に進入し、テープリール３の被駆動ギア３１ｃに噛合する。このとき、被駆動ギア３１ｃの歯に混ざって、ハブ３１の底壁から突出しているロック解除具４の爪部４３を駆動ギアが上方へ押し上げることで、図３に示すように、該ロック解除具４自体を上方へ押し上げる。上方へ押し上げられたロック解除具４は、リール押え５をばね５５の付勢力に抗して押し上げる。こうしてリール押え５が押し上げられると、該リール押え５のロックギア５３とハブ３１の被ロックギア３１ａとの噛合が解除され、テープリール３が回転可能となる。ここで、駆動軸Ｓがテープリール３の被駆動ギア３１ｃに噛合するときには、ロック解除具４及びリール押え５のみが上方へ押し上げられ、テープリール３は、上方へ押し上げられることはない。つまり、テープリール３は、非駆動時でも駆動時でも、軸受６を介してケーシング２に対して回転可能に支持された状態のままである。この状態でモータを作動させることによって、テープリール３が回転駆動される。
【００５２】
尚、磁気テープカートリッジ１が装填位置に装填させると、テープドライブの引出し機構によって、テープリール３に巻回された磁気テープ３０が、テープドライブ側の巻き取りリールまで引き出される。そして、巻き取りリールがテープリール３と同期して回転駆動されることによって、磁気テープ３０がテープリール３から巻き取りリールに巻き取られていく。こうして、磁気テープが磁気テープカートリッジ１から引き出されて、巻き取りテープに巻き取られていく間に、テープドライブの磁気ヘッドによって、磁気テープ３０への情報の記録及び／又は磁気テープ３０らの情報の再生が行われる。
【００５３】
尚、巻き取りリールに巻き取った磁気テープ３０を、磁気テープカートリッジ１のテープリール３に巻き取り直すときには、モータを、巻き取りリールに磁気テープ３０を巻き取るときとは反対方向に回転駆動させる。
【００５４】
−実施形態１の効果−
以上のように、磁気テープカートリッジ１のテープリール３の駆動時には、テープドライブの駆動軸Ｓは、テープリール３の被駆動ギア３１ｃに噛合するだけで、テープリール３自体を持ち上げることはない。すなわち、テープリール３は、駆動時であっても、ケーシング２に支持されたままである。さらに、このとき、テープリール３は、軸受６を介してケーシング２に支持されているため、テープリール３に作用する摩擦は非常に小さくなっている。このように、テープリール３の駆動時において、該テープリール３の自重はモータの駆動軸Ｓに作用せず、それに加えて、テープリール３に作用する摩擦は非常に小さいため、モータは、非常に小さな駆動トルクでテープリール３を駆動することができる。その結果、モータの消費電力を抑制することができる。
【００５５】
これらの構成は、テープリール３とケーシング２との間に軸受６を介設させるという簡単な構成で実現することができる。この構成と、非駆動時にテープリール３を下ケース２１に押し付けている従来の構成との大きな違いは、軸受６だけであり、従来の構成から小さな改良で、テープリール３の駆動トルクを大幅に低減した構成を実現することができる。
【００５６】
また、軸受６を、テープリール３の下フランジ３３における、ハブ３１が接合された部分であって、該ハブ３１が接合された面とは反対側の面に配設することによって、下フランジ３３のうち剛性が比較的高い部分を支持することができる。すなわち、下フランジ３３のうち軸受６を取り付ける部分には、テープリール３の自重に対する軸受６からの垂直反力が作用するため、下フランジ３３の変形を防止するためには、下フランジ３３のうち軸受６を取り付ける部分は、剛性が高いことが好ましい。そして、下フランジ３３の剛性は、ハブ３１が接合された部分が最も高く、ハブ３１から径方向外側に離れるほど低下する。仮に、軸受６を下フランジ３３の外周縁部に配設すると、下フランジ３３がテープリール３自身の自重及びそれに対する垂直抗力によって撓んでしまう。この撓み変形が大きい場合には、引き出されたり、巻き取られたりする磁気テープ３０に下フランジ３３が干渉する虞がある。また、下フランジ３３が撓むと、テープリール３の回転を安定させることができなくなる。それに対して、下フランジ３３における、ハブ３１が接合された部分は剛性が相対的に高くなっており、この部分の、該ハブ３１が接合された面とは反対側の面に軸受６を配設することによって、下フランジ３３の変形を防止することができる。すなわち、下フランジ３３に作用する軸受６からの垂直抗力をハブ３１でも受け止めることができる。その結果、磁気テープ３０に下フランジ３３が干渉することを防止することができると共に、テープリール３を安定して回転させることができる。
【００５７】
尚、前記実施形態１では、テープリール３を軸受６を介してケーシング２に対して回転可能に支持しているが、これに限られるものではない。例えば、軸受６は、玉６３を有する玉軸受であるが、転動体として、ころを有するころ軸受であってもよい。さらには、テープリール３を、玉又はころ等の転動体のみを介して、ケーシング２（具体的には、下ケース２１）に回転可能に支持する構成であってもよい。すなわち、下ケース２１に、転動体の一部が下ケース２１から突出する状態で嵌り且つ転動体が回転可能な凹部を形成して、該凹部に転動体を配設し、該転動体の上にテープリール３を載置する。かかる構成においては、転動体が凹部内で回転することによって、テープリール３は摩擦力がほとんど作用することなく、回転することができる。尚、凹部は、下ケース２１ではなく、テープリール３に設けてもよい。
【００５８】
《発明の実施形態２》
続いて、本発明の実施形態２に係る磁気テープカートリッジ２０１について説明する。
【００５９】
実施形態２に係る磁気テープカートリッジ２０１は、テープリール２０３の支持構造が実施形態１と異なる。そこで、実施形態１と同様の構成ついては、同様の符号を付して説明を省略し、異なる構成を中心に説明する。
【００６０】
図４は、磁気テープカートリッジ２０１の断面図である。
【００６１】
磁気テープカートリッジ２０１は、ケーシング２０２、テープリール２０３、磁気テープ３０、軸受２０６、ロック機構（図示省略）、カートリッジメモリ（図示省略）、及びライトプロテクトプラグ（図示省略）を備えている。この磁気テープカートリッジ２０１がテープカートリッジを構成する。尚、磁気テープカートリッジ２０１は、実施形態１に係る磁気テープカートリッジ１が備えていたロック解除具４、リール押え５、ばね５５を備えていない。
【００６２】
ケーシング２０２は、扁平な直方体に形成されていて、合成樹脂製の下ケース２２１と上ケース２２２との分割構造になっている。このケーシング２０２の内部には、詳しくは後述するが、テープリール２０３が回転可能に収容されている。
【００６３】
これら下ケース２２１及び上ケース２２２は、それぞれ平面視正方形状の浅皿状に形成されていて、互いにネジで締結される。上ケース２２２の天板内面には、その略中央において、円柱状の支持突起２２４（図１では省略）が下方に突出するように形成されている。支持突起２２４は、上ケース２２２から延びる大径部２２４ａと、該大径部２２４ａの先端から延びる小径部２２４ｂとを有している。この支持突起２２４がケース側当接部を構成する。下ケース２２１の底板には、その略中央において、テープリール３の後述する被駆動ギア３１ｃを外部に露出させるためのギア開口２１ａが形成されている。
【００６４】
また、ケーシング２０２の四隅のうち３箇所には、図示は省略するが、実施形態１と同様に、テープ引出口、メモリ収容部及びプラグ収容部が形成されている。
【００６５】
テープリール２０３は、円筒状のハブ２３１と、該ハブ２３１の上端に鍔状に設けられた上フランジ３２と、該ハブ２３１の下端に鍔状に設けられた下フランジ３３と、該下フランジ３３に取り付けられた金属製の吸着板３５とを有している。上フランジ３２、下フランジ３３及び吸着板３５の基本的な構成は、実施形態１の対応する部材の構成と同様である。尚、本実施形態においても、吸着板３５を省略してもよい。
【００６６】
ハブ２３１は、上端側（即ち、上フランジ側）が開口する一方、下端側（即ち、下フランジ側）が閉塞する有底円筒状に形成されている。
【００６７】
ハブ２３１の底壁上面（内面）には、その外周縁において、環状の当接部２３１ｅが段差状に形成されている。この当接部２３１ｅがリール側当接部を構成する。
【００６８】
また、ハブ２３１の底壁下面（外面）の中央には、吸着板３５が取り付けられている。さらに、ハブ２３１の底壁下面の外周縁には、被駆動ギア３１ｃが環状に形成されている。
【００６９】
軸受２０６は、内側の内輪２６１と、外側の外輪２６２と、該内輪２６１と外輪２６２とに挟持された転動体としての玉２６３，２６３，…とを有する転がり軸受である。内輪２６１の内径は、上ケース２２２の支持突起２２４の小径部２２４ｂの外径と略同じである。外輪２６２の外径は、ハブ２３１の内径と略同じである。
【００７０】
この軸受２０６は、下ケース２２１と上ケース２２２とが接合されることによって、内輪２６１が上ケース２２２の支持突起２２４の小径部２２４ｂに外嵌めされ、外輪２６２がハブ２３１に内嵌めされると共に、該支持突起２２４の大径部２２４ａの先端面とハブ２３１の当接部２３１ｅとにより上下方向から挟持される。このとき大径部２２４ａの先端面は内輪２６１と、当接部２３１ｅは外輪２６２と当接する。つまり、内輪２６１は、上ケース２２２の支持突起２２４に取り付けられる一方、外輪２６２は、テープリール２０３のハブ２３１に取り付けられる。また、軸受２０６は、大径部２２４ａの先端面と当接部２３１ｅとで挟持されることによって、ハブ２０３内において、テープリール２０３の回転軸方向中心に位置決めされている。
【００７１】
こうして、テープリール２０３は、軸受２０６を介して上ケース２２２、即ち、ケーシング２０２に回転可能に支持されている。このとき、テープリール２０３の被駆動ギア３１ｃは、下ケース２２１のギア開口２１ａに対応する位置に位置し、ギア開口２１ａから露出している。
【００７２】
また、図示は省略するが、ケーシング２０２内には、ロック機構が設けられている。このロック機構は、テープリール２０３を回転不能な状態に保持するロック状態と、テープリール２０３の保持を解除した解除状態とを切替可能に構成されていて、磁気テープカートリッジ２０１の非駆動時には、ロック状態となる一方、磁気テープカートリッジ２０１の駆動時には、解除状態となる。このロック機構は、テープリール２０３の保持と解除とを切替可能であれば、任意の構成を採用することができるが、例えば、スライド駆動可能な係合部材を備え、該係合部材を、テープリール２０３の上フランジ３２又は下フランジ３３の外周縁に形成された被係合部に係合及び係合解除させることで、テープリール２０３の保持と解除とを切り替える構成のものであってもよい。
【００７３】
このように構成された磁気テープカートリッジ２０１は、テープドライブ内に挿入されると、所定の装填位置に装填され、テープドライブのモータ駆動軸Ｓが下ケース２１のギア開口２１ａからケーシング２内に進入し、該モータ駆動軸Ｓ先端の駆動ギアがテープリール３の被駆動ギア３１ｃに噛合する。このとき、前記ロック機構が解除状態となっており、テープリール２０３は回転可能となっている。ここで、駆動軸Ｓがテープリール２０３の被駆動ギア３１ｃに噛合するときには、テープリール２０３は上方へ押し上げられることはない。つまり、テープリール２０３は、非駆動時でも駆動時でも、軸受２０６を介してケーシング２０２に対して回転可能に支持された状態のままである。この状態でモータを作動させることによって、テープリール２０３が回転駆動される。
【００７４】
−実施形態２の効果−
以上のように、磁気テープカートリッジ２０１のテープリール２０３の駆動時には、テープドライブの駆動軸Ｓは、テープリール２０３の被駆動ギア３１ｃに噛合するだけで、テープリール２０３自体を持ち上げることはない。すなわち、テープリール２０３は、駆動時であっても、ケーシング２０２に支持されたままである。さらに、このとき、テープリール２０３は、軸受２０６を介してケーシング２０２に支持されているため、テープリール２０３に作用する摩擦は非常に小さくなっている。このように、テープリール２０３の駆動時において、該テープリール２０３の自重はモータの駆動軸Ｓに作用せず、それに加えて、テープリール２０３に作用する摩擦は非常に小さいため、モータは、非常に小さな駆動トルクでテープリール２０３を駆動することができる。その結果、モータの消費電力を抑制することができる。
【００７５】
また、本実施形態では、軸受２０６をラジアル軸受として機能させ、テープリール２０３を上ケース２２２の支持突起２２４中心に回転可能に支持することによって、テープリール２０３の回転時の軸ブレを抑制することができる。また、軸受２０６をテープリール２０３のハブ２３１内に設けることによって、軸受２０６をテープリール２０３の回転中心近傍に設けることができるため、軸受２０６を小型化することができる。
【００７６】
さらに、軸受２０６をテープリール２０３の回転軸方向において、上ケース２２２の大径部２２４ａの先端面とハブ２３１の当接部２３１ｅとで挟持することによって、軸受２０６を設置する際に、該軸受２０６の、テープリール２０３の回転軸方向への位置決めを行うことができる。具体的には、軸受２０６を、テープリール２０３の回転軸方向中心に位置決めすることができる。また、軸受２０６は、常時、大径部２２４ａの先端面とハブ２３１の当接部２３１ｅとで挟持されているため、軸受２０６が経時的に回転軸方向にずれることを防止することができる。
【００７７】
さらにまた、軸受２０６を、テープリール２０３の回転軸方向中心に配設することによって、軸受２０６をテープリール２０３の回転軸方向の端部（即ち、上フランジ３２又は下フランジ３３の近傍）に設ける構成と比較して、テープリール２０３が回転軸に対して傾いて設置されたとしても、テープリール２０３の回転軸からのずれ量を全体的に小さくすることができる。すなわち、テープリール２０３が回転軸に対して傾いて設置されると、回転軸からのずれ量は、テープリール２０３のうち、軸受２０６からの回転軸方向の距離が離れている部分ほど大きくなる。つまり、軸受２０６をテープリール２０３の回転軸方向の端部に設ける構成の場合、テープリール２０３が回転軸に対して傾いて設置されると、テープリール２０３の、回転軸方向における軸受２０６と反対側の端部のずれ量は非常に大きくなる。それに対して、軸受２０６をテープリール２０３の回転軸方向中心に設けることによって、軸受２０６からテープリール２０３の回転軸方向端部までの距離を短くすることができるため、テープリール２０３の回転軸方向端部の回転軸からのずれ量を小さくすることができる。その結果、テープリール２０３の回転軸からのずれ量を全体として小さくすることができる。
【００７８】
また、軸受２０６を、テープリール２０３の回転軸方向中心に配設することによって、テープリール２０３に作用する遠心力を回転軸方向でバランスさせることができる。すなわち、テープリール２０３に作用する遠心力は、回転軸方向に見たときに、軸受２０６から離れる程大きくなる。つまり、軸受２０６をテープリール２０３の回転軸方向の端部に設ける構成の場合、テープリール２０３の、回転軸方向における軸受２０６が設けられた部分の遠心力が最も小さくなり、回転軸方向における軸受２０６と反対側の端部の遠心力が最も大きくなる。こうして、テープリール２０３の回転軸方向一端部と他端部とで遠心力の差が大きくなると、テープリール２０３に変形が生じてしまう。それに対して、軸受２０６をテープリール２０３の回転軸方向中心に設けることによって、テープリール２０３の回転軸方向一端部及び他端部の、軸受２０６からの距離は等しいため、テープリール２０３の回転軸方向一端部と他端部とで遠心力の差がほとんどなくなる。その結果、テープリール２０３の遠心力による変形を抑制することができる。
【００７９】
《発明の実施形態３》
続いて、本発明の実施形態３に係る磁気テープカートリッジ３０１について説明する。
【００８０】
実施形態３に係る磁気テープカートリッジ３０１は、テープリール３の支持構造が実施形態１と異なる。そこで、実施形態１と同様の構成ついては、同様の符号を付して説明を省略し、異なる構成を中心に説明する。
【００８１】
図５は、磁気テープカートリッジ３０１の断面図である。
【００８２】
磁気テープカートリッジ３０１は、ケーシング３０２、テープリール３、磁気テープ３０、ロック解除具４、リール押え５、ばね５５、カートリッジメモリ（図５では省略）、及びライトプロテクトプラグ（図５では省略）を備えている。この磁気テープカートリッジ３０１がテープカートリッジを構成する。
【００８３】
ケーシング３０２は、扁平な直方体に形成されていて、合成樹脂製の下ケース３２１と上ケース３２２との分割構造になっている。このケーシング３０２の内部には、詳しくは後述するが、テープリール３が回転可能に収容されている。
【００８４】
これら下ケース３２１及び上ケース３２２は、それぞれ平面視正方形状の浅皿状に形成されていて、互いにネジで締結される。上ケース３２２の天板内面には、その略中央において、断面十文字状のガイド突起２４が下方に突出するように形成されている。下ケース２２１の底板には、その略中央において、テープリール３の後述する被駆動ギア３１ｃを外部に露出させるためのギア開口２１ａが形成されている。また、下ケース２２１の底板には、ギア開口２１ａを囲むようにして環状リブ３２１ｂが設けられている。この環状リブ３２１ｂの上面には、滑り軸受３２１ｃが設けられている。この滑り軸受３２１ｃは、樹脂等のコーティング層で構成されており、その摩擦係数が、少なくとも、下ケース２２１の摩擦係数よりも小さくなっている。
【００８５】
テープリール３は、滑り軸受３２１ｃを介して、下ケース３２１に対して回転可能に支持されている。詳しくは、テープリール３は、滑り軸受３２１ｃ上に載置される。テープリール３の下フランジ３３における、ハブ３１が接合された部分の、ハブ３１が接合された面とは反対側の面に滑り軸受３２１ｃが当接している。このとき、テープリール３の被駆動ギア３１ｃが滑り軸受３２１ｃの内周側に位置している。
【００８６】
このように構成された磁気テープカートリッジ３０１がテープドライブ内に挿入されると、該磁気テープカートリッジ３０１はテープドライブ内の所定の装填位置に装填される。
【００８７】
テープドライブには、テープリール３を回転駆動する駆動部としてのモータが設けられており、該モータの駆動軸Ｓ（図３参照）の先端にはテープリール３の被駆動ギア３１ｃに噛合する駆動ギアが形成されている。そして、磁気テープカートリッジ３０１が装填位置に装填させることで、モータの駆動軸Ｓ先端の駆動ギアが下ケース３２１のギア開口２１ａからケーシング３０２内に進入し、テープリール３の被駆動ギア３１ｃに噛合する。このとき、被駆動ギア３１ｃの歯に混ざって、ハブ３１の底壁から突出しているロック解除具４の爪部４３を駆動ギアが上方へ押し上げることで、該ロック解除具４自体を上方へ押し上げる。上方へ押し上げられたロック解除具４は、リール押え５をばね５５の付勢力に抗して押し上げる。こうしてリール押え５が押し上げられると、該リール押え５のロックギア５３とハブ３１の被ロックギア３１ａとの噛合が解除され、テープリール３が回転可能となる。ここで、駆動軸Ｓがテープリール３の被駆動ギア３１ｃに噛合するときには、ロック解除具４及びリール押え５のみが上方へ押し上げられ、テープリール３は、上方へ押し上げられることはない。つまり、テープリール３は、非駆動時でも駆動時でも、滑り軸受３２１ｃ上に載置された状態となっており、該滑り軸受３２１ｃを介してケーシング３０２に対して回転可能に支持された状態のままである。この状態でモータを作動させることによって、テープリール３が滑り軸受３２１ｃ上を摺接しながら回転駆動される。
【００８８】
−実施形態３の効果−
以上のように、磁気テープカートリッジ３０１のテープリール３の駆動時には、テープドライブの駆動軸Ｓは、テープリール３の被駆動ギア３１ｃに噛合するだけで、テープリール３自体を持ち上げることはない。すなわち、テープリール３は、駆動時であっても、ケーシング２に支持されたままである。さらに、このとき、テープリール３は、ケーシング３０２内面よりも低摩擦の滑り軸受３２１ｃを介してケーシング３０２に支持されているため、テープリール３に作用する摩擦は小さくなっている。このように、テープリール３の駆動時において、該テープリール３の自重はモータの駆動軸Ｓに作用せず、それに加えて、テープリール３に作用する摩擦は小さいため、モータは、非常に小さな駆動トルクでテープリール３を駆動することができる。その結果、モータの消費電力を抑制することができる。
【００８９】
これらの構成は、テープリール３とケーシング３０２との間に滑り軸受３２１ｃを介設させるという簡単な構成で実現することができる。この構成と、非駆動時にテープリール３を下ケース３２１に押し付けている従来の構成との大きな違いは、滑り軸受３２１ｃだけであり、従来の構成から小さな改良で、テープリール３の駆動トルクを大幅に低減した構成を実現することができる。
【００９０】
また、滑り軸受３２１ｃを、テープリール３の下フランジ３３における、ハブ３１が接合された部分の反対側の面に配設することによって、下フランジ３３のうち剛性が比較的高い部分を支持することができる。すなわち、下フランジ３３のうち滑り軸受３２１ｃを取り付ける部分には、テープリール３の自重に対する滑り軸受３２１ｃからの垂直反力が作用するため、下フランジ３３の変形を防止するためには、下フランジ３３のうち滑り軸受３２１ｃが当接する部分は、剛性が高いことが好ましい。そして、下フランジ３３の剛性は、ハブ３１が接合された部分が最も高く、ハブ３１から径方向外側に離れるほど低下する。仮に、滑り軸受３２１ｃを下フランジ３３の外周縁部に配設すると、下フランジ３３がテープリール３自身の自重及びそれに対する垂直抗力によって撓んでしまう。この撓み変形が大きい場合には、引き出されたり、巻き取られたりする磁気テープ３０に下フランジ３３が干渉する虞がある。また、下フランジ３３が撓むと、テープリール３の回転を安定させることができなくなる。それに対して、下フランジ３３における、ハブ３１が接合された部分は剛性が相対的に高くなっており、この部分の、該ハブ３１が接合された面とは反対側の面に滑り軸受３２１ｃを配設することによって、下フランジ３３の変形を防止することができる。すなわち、下フランジ３３に作用する滑り軸受３２１ｃからの垂直抗力をハブ３１でも受け止めることができる。その結果、磁気テープ３０に下フランジ３３が干渉することを防止することができると共に、テープリール３を安定して回転させることができる。
【００９１】
《その他の実施形態》
本発明は、前記実施形態について、以下のような構成としてもよい。
【００９２】
すなわち、前記実施形態１，２では、テープリール３，２０３を玉軸受である軸受６，２０６を介してケーシング２，２０３に対して回転可能に支持しているが、これに限られるものではない。例えば、テープリール３，２０３をころ軸受を介してケーシング２，２０３に対して回転可能に支持してもよい。また、上輪６１と下輪６２や、内輪２６１と外輪２６２のように、２つの輪部材を有する必要はなく、テープリール３，２０３を回転可能に支持することができる構成であれば、転動体だけでテープリール３，２０３を支持してもよい。さらに、軸受６，２０６を設ける位置についても、前記実施形態１，２に限られるものではない。軸受６は、テープリール３の荷重をスラスト方向に受け止める構成であれば、任意の場所に配設することができる。また、軸受２０６は、テープリール２０３をラジアル方向に支持する構成であれば、任意の場所に配設することができる。
【００９３】
また、実施形態３では、滑り軸受３２１ｃをコーティング層で構成しているが、これに限られるものではない。テープリール３を低摩擦で回転可能に支持できる限りにおいては、任意の構成を採用することができる。
【００９４】
尚、以上の実施形態は、本質的に好ましい例示であって、本発明、その適用物、あるいはその用途の範囲を制限することを意図するものではない。
【産業上の利用可能性】
【００９５】
以上説明したように、本発明は、記録テープが巻回されるテープリールと、該テープリールを収容するケーシングとを備えたテープカートリッジについて有用である。
【図面の簡単な説明】
【００９６】
【図１】本発明の実施形態１に係る磁気テープカートリッジの分解斜視図である。
【図２】非駆動時の磁気テープカートリッジの断面図である。
【図３】駆動時の磁気テープカートリッジの断面図である。
【図４】実施形態２に係る磁気テープカートリッジの断面図である。
【図５】実施形態３に係る磁気テープカートリッジの断面図である。
【符号の説明】
【００９７】
１，２０１，３０１    磁気テープカートリッジ（テープカートリッジ）
２，２０２，３０２    ケーシング
２１，２２１，３２１  下ケース
３２１ｃ              滑り軸受
２２，２２２，３２２  上ケース
２２４                支持突起（ケース側当接部）
３，２０３            テープリール
３１，２３１          ハブ
２３１ｅ              当接部（リール側当接部）
３２                  上フランジ（フランジ）
３３                  下フランジ（フランジ）
３０                  磁気テープ（記録テープ）
６，２０６            軸受（転がり軸受）
６３                  玉（転動体）
【図１】
2010102761.tif 000003
【図２】
2010102761.tif 000004
【図３】
2010102761.tif 000005
【図４】
2010102761.tif 000006
【図５】
2010102761.tif 000007